(57)【特許請求の範囲】
【請求項１】
多孔質体であって〔厚さ／幅〕の値が０．５以下の薄板が、２枚の金属板又は樹脂板の間で挟まれており、前記金属板又は樹脂板は、前記薄板を挿入するための凹状の部分と、当該凹状の部分の外側に位置する縁部分が予め形成され、縁部分がかしめられて２枚の前記金属板又は樹脂板が離反しない状態となるものであり、前記薄板の両端が前記金属板又は樹脂板から突出していることを特徴とする筆記具用ペン先。
【請求項２】
多孔質体は、幅が１ｍｍ以上であることを特徴とする請求項１に記載の筆記具用ペン先。
【請求項３】
薄板の前記金属板又は樹脂板の両端からの突出量の内の一方は、薄板の厚さの２倍以下であり、他方の突出量は、薄板の厚さの２倍以上であり、突出量の小さい方が筆記部として機能することを特徴とする請求項１又は２に記載の筆記具用ペン先。
【請求項４】
筆記部として機能する部位が複数に分かれていることを特徴とする請求項１乃至３のいずれかに記載の筆記具用ペン先。
【発明の詳細な説明】
【技術分野】
【０００１】
本発明は、筆記具用ペン先に関するものであり、特にカリグラフに使用する筆記具用ペン先として好適なものである。
【背景技術】
【０００２】
文字等を描く図法の一つとして、カリグラフがある。ここでカリグラフとは、人間の手を使って文字を描くデザインの手法であり、先端が偏平な筆等を手に持ち、その筆をいろいろな向きに傾けたり、反転して線の太さに変化を持たせつつ文字を描く図法である。
【０００３】
カリグラフに使用される筆記具は、金属製のペン先を備えているものが多い。即ちへらの様な形状を備えた金属製のペン先が、カリグラフに使用されている。
また金属製のペン先に代わるものとして、繊維束を採用したものや、樹脂製のもの、あるいは多孔質体のものがある。
【０００４】
また本出願人は、樹脂製のチップを備えたカリグラフ用の塗布具を提案した（特許文献１）。
特許文献１に開示した筆記具用ペン先は、偏平状のチップと断面が円形のコアとを円筒形の先金具に挿入して先金具の先端部分をかしめたものである。
特許文献１に開示した筆記具用ペン先では、円筒形の先金具の先端側からチップが突出し、後端側から円筒形のコアが突出している。
【先行技術文献】
【特許文献】
【０００５】
【特許文献１】実開平６−７９５８６号公報
【発明の概要】
【発明が解決しようとする課題】
【０００６】
前記した様に、カリグラフ用のペン先としては、金属製の物、繊維束製の物、樹脂製の物及び多孔質体のものがあるが、職業としてカリグラフを描く作家の間では、金属製のペン先が好んで使用されている。
即ち金属製のカリグラフ用のペン先は、前記した様に金属のへらの様な形状をしており、厚さの薄いものである。この様に薄いペン先を使用すると、描かれる線の太さにメリハリを付けやすく、豊かな表現が可能である。
しかしその一方で、金属製のペン先は、付けペンタイプのペン先であり、持ち運びや後片付け等が面倒であるため、使い勝手が悪く、アマチュアのカリグラフ作家の間では敬遠される傾向にある。
【０００７】
これに対して繊維束を採用したものや、樹脂製のもの、あるいは多孔質体のペン先チップは、万年筆の様にインキ収容部と一体化させることが容易であり、使い勝手が良いので、アマチュアのカリグラフ作家向きであると言える。
【０００８】
しかしながら繊維束を採用したペン先チップや、樹脂製のペン先チップ、あるいは多孔質体のペン先チップを使用して、金属製のペン先チップ並のシャープな線を描くためには、チップを相当に薄く成形する必要がある。
そしてペン先チップを相当に薄く成形すると、それぞれの素材のペン先チップにそれぞれ解決し難い問題がある。
例えば繊維束を採用したペン先チップであって、筆記部分（先端部分）が薄いものは、ペン先チップの寿命が極端に短い。即ち繊維束を採用したペン先チップを使い続けると、ペン先がさばけてしまう。より具体的には、ペン先が崩れたりほどけた状態となってバサバサと纏まりが無くなってしまう。
【０００９】
また樹脂製のペン先チップであって筆記部分を薄く成形したものでは、線幅を太く描く際に、インキの供給が追いつかず、線がかすれてしまうという問題がある。
さらに多孔質体のペン先チップで薄く成形したものでは、チップの剛性が足りず、筆記時にチップが折れたり欠けるといった不具合がある。
【００１０】
また特許文献１に開示した構造においても、金属製のペン先チップ並のシャープな線を描くためには、より薄いチップを使用することが必要である。しかしながら、より薄いチップを使用して特許文献１に開示したペン先チップの構造を採用すると、チップがぐらぐらしたり、チップの先端がさばけてしまい、書き味が悪くなったり、一定の太さの線を描くことができなくなってしまうという問題があった。
【００１１】
そこで本発明は、従来技術の上記した問題点に注目し、薄いチップを使用することができる筆記具用ペン先の構造を提供することを課題とする。
【課題を解決するための手段】
【００１２】
上記した課題を解決するための請求項１に記載の発明は、多孔質体であって〔厚さ／幅〕の値が０．５以下の薄板が、２枚の金属板又は樹脂板の間で挟まれており、前記金属板又は樹脂板は、前記薄板を挿入するための凹状の部分と、当該凹状の部分の外側に位置する縁部分が予め形成され、縁部分がかしめられて２枚の前記金属板又は樹脂板が離反しない状態となるものであり、前記薄板の両端が前記金属板又は樹脂板から突出していることを特徴とする筆記具用ペン先である。
【００１３】
本発明では、多孔質体の薄板がペン先として機能し、薄板の先端を紙等に押し当てて線を描くこととなる。
ここで本発明の筆記具用ペン先は、筆記部分の厚さが薄い。そのため描かれる線の太さにメリハリを付けやすく、豊かな表現が可能である。
また本発明の筆記具用ペン先では、前記薄板の両端が前記金属板又は樹脂板から突出している。逆に言えば、金属板又は樹脂板と多孔質体の薄板との接触面積が大きい。そのため、薄板が安定する。また薄板は多孔質体であるから、さばけることもない。
【００１４】
請求項２に記載の発明は、多孔質体は、幅が１ｍｍ以上であることを特徴とする請求項１に記載の筆記具用ペン先である。
【００１５】
本発明の筆記具用ペン先は、幅が１ｍｍ以上であるから、ある程度の剛性を有し、折れにくい。
【００１６】
請求項３に記載の発明は、薄板の前記金属板又は樹脂板の両端からの突出量の内の一方は、薄板の厚さの２倍以下であり、他方の突出量は、薄板の厚さの２倍以上であり、突出量の小さい方が筆記部として機能することを特徴とする請求項１又は２に記載の筆記具用ペン先である。
【００１７】
本発明の筆記具用ペン先では、薄板の前記金属板等からの出しろが、両端で異なる。そして本発明の筆記具用ペン先では、出しろの小さい方が筆記部として使用される。本発明の筆記具用ペン先は、筆記部として機能する側の薄板の出しろが小さいので、使用時に折れにくい。
また他方側は、薄板の前記金属板等からの出しろが大きく、インキを吸収しやすく、筆記部側にインキを供給し易い。
【００１８】
請求項４に記載の発明は、筆記部として機能する部位が複数に分かれていることを特徴とする請求項１乃至３のいずれかに記載の筆記具用ペン先である。
【００１９】
本発明のペン先によると、二重線や三重線等を描くことができる。
【発明の効果】
【００２０】
本発明の筆記具用ペン先は、筆記部分が薄いので描かれる線の太さにメリハリを付けやすく、豊かな表現が可能である。また本発明の筆記具用ペン先は、ぐらついたり、さばけることが少ないので、線を描きやすい。
【図面の簡単な説明】
【００２１】
【図１】本発明の実施形態の筆記具用ペン先の斜視図である。
【図２】図１の筆記具用ペン先の断面図である。
【図３】図１の筆記具用ペン先の分解斜視図である。
【図４】本発明の他の実施形態の筆記具用ペン先の斜視図である。
【図５】本発明のさらに他の実施形態の筆記具用ペン先の斜視図及びその一部拡大図である。
【図６】本発明のさらに他の実施形態の筆記具用ペン先の斜視図である。
【図７】図６に示す筆記具用ペン先で描くことができる文字の例を示す説明図である。
【図８】図６に示す筆記具用ペン先の分解斜視図である。
【図９】本発明のさらに他の実施形態の筆記具用ペン先の分解斜視図である。
【発明を実施するための形態】
【００２２】
図に示す筆記具用ペン先１は、カリグラフ用の筆記具に使用されるものである。
筆記具用ペン先１が適用される筆記具は、インキ筒に液状のインキが充填された構造（フリーインキ形式）のものであってもよく、綿状の部材にインキをしみ込ませた構造（中綿形式）のものであってもよい。
要するに、インキを何らかの方策で充填した筆記具本体に装着され、インキを漏出して紙面等にインキを導くものである。
【００２３】
本実施形態の筆記具用ペン先１は、ペン先本体２と、これを覆う金属板３，５によって構成されている。
ペン先本体２は、薄板状の多孔質体（ポーラス体）である。
ペン先本体２の材質は、多孔質の樹脂である。
より具体的にはＰＥ（ポリエチレン）樹脂、ＰＰ（ポリプロピレン）樹脂、ＥＶＡ（エチレン−酢酸ビニル共重合）樹脂を素材とし、これらのプラスチック焼結多孔質体、多孔質焼結樹脂である。
【００２４】
ペン先本体２の厚さｔと、幅Ｗとしては、例えば表の様な組み合わせが考えられる。〔厚さ／幅〕の値についても表に併記する。
【００２５】
【表１】
0005575630.tif 000002
【００２６】
この表から、ペン先本体２の厚さｔは、好ましくは２ｍｍ以下であり、より好ましくは、０．６ｍｍ以下である。
ペン先本体２の幅Ｗは、１ｍｍ以上であることが望ましく、２ｍｍを越えると、剛性が飛躍的に向上するのでより推奨される。より好ましいペン先本体２の幅Ｗは、３ｍｍ以上である。
ペン先本体２の幅Ｗに対する厚さｔの比率は、０．５以下であり、この好ましくは、０．１以上０．３以下である。
ペン先本体２の全長Ｌは、２ｃｍ〜６ｃｍ程度である。
【００２７】
金属板３，５は、ステンレススチール等の薄板であり、図２の様に、ペン先本体２が挿入される部位が、予め凹状に成形されている。
金属板３，５の長さｌは、ペン先本体２の全長Ｌの４０パーセントから８０パーセント程度である。
金属板３，５は、先端部分が図２の様にやや薄くなっている。なお斜視図では作図の都合上薄くなった状態は図示されていない。
【００２８】
本実施形態の筆記具用ペン先１は、ペン先本体２が、２枚の金属板３，５の間で挟まれたものである。金属板３，５同士の間は、かしめられており、２枚の金属板３，５が離反することはない。
【００２９】
本実施形態の筆記具用ペン先１では、２枚の金属板３，５の両側からペン先本体２が露出している。ただし、露出部分６，７の長さは、同一ではなく、先端側への露出部分６の長さが短く、後端側への露出が長い。
なお短く露出した側の先端が、筆記具の本体から露出し、紙等に当接する。即ち短く露出した側の先端が筆記部８として機能する。
露出部分６，７の長さ、即ち先端側の出しろＡは、ごく小さく、ペン先本体２たる薄板の厚さｔの２倍以下であることが望ましい。より推奨される先端側の出しろＡは、厚さｔの１．５倍以下である。
また後端側の出しろＢは、厚さｔの２倍以上であることが望ましい。より推奨される出しろＢは、厚さｔの１０倍以上である。
【００３０】
また上記した実施形態では、ペン先本体２の平面形状は長方形であるが、図４の筆記具用ペン先１０の様に先端の角が削られた形状であったり、図５の筆記具用ペン先１１の様に先端の断面形状が円弧状をしたものであってもよい。
【００３１】
さらには、図６の筆記具用ペン先１５の様に先端の筆記部１３が複数に分割されたものであってもよい。図６に示す筆記具用ペン先１５は、ペン先本体１６の先端に突起１９が２個突出しており、先端部分が２個に分かれている。
図６に示す筆記具用ペン先１５を使用すると、例えば図７に示すような、二重線と一本線が混じった線図を描くことができる。なお、図７は、図６に示す筆記具用ペン先１５を使用してローマ字で「ｉｎ」という字を描いている。
筆記部１３の分割数は、任意であり、３個でも４個でもよい。
【００３２】
図６の様な筆記具用ペン先１５は、図８に示すように先端部分が分割されたペン先本体１６を金属板１７，１８で挟んでいる。ここで金属板１７，１８は、ペン先本体１６の突起１９を保持できる様に、先端に凹凸部２０が形成されていることが望ましい。
【００３３】
また図９に示す様に、複数のペン先本体２１，２２を金属板２３，２４で挟むことによっても、先端が複数に分かれた筆記具用ペン先３０を作ることができる。
複数のペン先本体２１，２２を金属板２３，２４で挟む場合には、金属板２３，２４の全長に渡って凹凸部３１を形成させることが望ましい。
【００３４】
以上説明した実施形態では、ペン先本体２を２枚の金属板３，５等の間で挟んだが、金属板３，５等に代わって、樹脂板を採用することもできる。
【符号の説明】
【００３５】
１，１０，１１，１５，３０  筆記具用ペン先
２  ペン先本体
３，５  金属板
８，１３  筆記部
１９  突起
１７，１８  金属板
２１，２２  金属板
【図１】
0005575630.tif 000003
【図２】
0005575630.tif 000004
【図３】
0005575630.tif 000005
【図４】
0005575630.tif 000006
【図５】
0005575630.tif 000007
【図６】
0005575630.tif 000008
【図７】
0005575630.tif 000009
【図８】
0005575630.tif 000010
【図９】
0005575630.tif 000011